(57)【要約】フォームディスペンサーは、変形し得るリザーバ、発泡性流体と空気または他のガス、排出デバイス、及び複数のメッシュスクリーンを含むフォーム発生装置を有する。前記ディスペンサーを作動させると、該ディスペンサー内部からの空気が流体と混合されてフォームが生成される。前記ディスペンサーは、フォームの生成に使用される空気を容器に迅速に再補給する際に使用するための弾性の変形性成形シールを有する。前記ディスペンサーは有利には、優れた品質及びコンシステンシーを有するフォームを生成するために一体成形されたスワールマニホールドをも有する。
2004531430.tif 000002
【特許請求の範囲】
【請求項１】
フォーム発生ハウジング；
フォームを発生させるべく流体と蒸気を混合するための、前記フォーム発生ハウジング中に配置されてなる出口及び入口を有する混合導管；
乱流ゾーンを形成するための、前記混合導管中に前記出口に隣接して配置されてなる複数の離間したメッシュスクリーン；及び
流体／蒸気の渦流パターンを形成するように流体と蒸気を接触させるための、前記入口と流体的に連通し且つ複数の離間したメッシュスクリーンの下流に配置されてなるスワールマニホールドを含み、
前記スワールマニホールドは表面を有し、混合導管入口及び流体導管出口と連通するアパーチュアを規定し、前記マニホールド表面は前記アパーチュア及び蒸気導管出口と連通するスワール導管を少なくとも１つ有し、蒸気はスワール導管を介して流れ、アパーチュアに接線方向で入ることを特徴とするフォームを分配するためのノズル。
【請求項２】
更に、出口及び入口を有する流体導管；出口及び入口を有する蒸気導管；通気孔；及び第１スクリーン及び該第１スクリーンの下流に配置されてなる第２スクリーンを含めた複数のスクリーンを含み、前記流体導管、蒸気導管及び通気孔はいずれもフォーム発生ハウジング中に配置されていることを特徴とする請求の範囲第１項に記載のノズル。
【請求項３】
更に、フォーム導管ハウジング；混合導管中で生成したフォームを運ぶための、前記フォーム導管ハウジング中に配置されており且つ混合導管出口と連通しているフォーム導管；及びフォーム導管ハウジングに固定連結しているアダプターを含み、
前記アダプターは開位置と閉位置の間で移動するようにフォーム発生ハウジングの外表面に摺動可能に連結しており、前記開位置では周囲と容器中の流体及び蒸気は連通し得、前記閉位置では周囲と容器中の流体及び蒸気の連通が妨げられることを特徴とする請求の範囲第１項に記載のノズル。
【請求項４】
フォーム導管ハウジングが、該フォーム導管ハウジングが開位置と閉位置の間で移動するとき、フォーム発生ハウジングの外表面に係合するように設けられた封止突起及び少なくとも１つの戻り止を有することを特徴とする請求の範囲第３項に記載のノズル。
【請求項５】
更に、流体及びフォームが容器に逆流するのを防ぐために混合導管中に配置されてなる逆止弁を含むことを特徴とする請求の範囲第１項に記載のノズル。
【請求項６】
スワールマニホールドがフォーム発生ハウジングと一体的に形成されており、前記マニホールドは中央アパーチュアを有し、前記マニホールド表面はアパーチュアと接線方向で連通している複数の食刻スワール導管を有し、各スワール導管は主軸を有することを特徴とする請求の範囲第１項に記載のノズル。
【請求項７】
スワールマニホールド表面に食刻されるスワール導管の数が２〜約５０であることを特徴とする請求の範囲第６項に記載のノズル。
【請求項８】
スワール導管の数は少なくとも２であり、少なくとも１つのスワール導管の主軸が第２スワール導管の主要軸に対して直角に配置されていることを特徴とする請求の範囲第１項に記載のノズル。
【請求項９】
通気孔を有するフォーム発生ハウジング；フォームを発生させるべく流体と蒸気を混合するための、前記フォーム発生ハウジング中に配置されてなる出口及び入口を有する混合導管；乱流ゾーンを形成するための、前記混合導管中に前記出口に隣接して配置されてなる複数の離間したメッシュスクリーン；及び前記通気孔を介して空気を容器に流入させるためのフレア付き変形性通気孔シールを含み、前記シールは、フォーム発生ハウジング内に配置されており、空気を流入させる開位置とフォームを排出させる閉位置の間で移動するように移動可能に係合していることを特徴とするフォームを分配するためのノズル。
【請求項１０】
通気孔シールが、幅広上端部、この幅広端部に連結している放射状に延びているフランジ、及びシールアパーチュアを規定する狭い下端部を有し、前記フランジはフォーム発生ハウジングの下表面に密封的に係合しており、シールの下端部はフォーム発生ハウジングの円筒状外壁に密封的に係合していることを特徴とする請求の範囲第９項に記載のノズル。
【請求項１１】
通気孔シールが、シールと円筒状外壁により規定される約３５〜約５５°の角度で円筒状外壁に係合し、容器中の負圧によりシールは外壁から遠ざけられ、よって容器中に空気が流入することを特徴とする請求の範囲第１０項に記載のノズル。
【請求項１２】
通気孔シールが円錐形であることを特徴とする請求の範囲第９項に記載のノズル。
【請求項１３】
環状の弾性的に変形可能なリングが、混合導管の外側に同心円状に配置されており、通気孔シールに係合するように設けられており、開位置と閉位置の間で移動し得るように構成されており、前記開位置は第１の弾性的に変形可能なシールの少なくとも一部に係合するためであり、前記閉位置はフォーム発生ハウジングの下表面に対して第１の弾性的に変形可能なシールを押圧するためであることを特徴とする請求の範囲第９項に記載のノズル。
【請求項１４】
環状の弾性的に変形可能なシールが、フォーム発生ハウジング内に下表面に隣接して一体的に注形されていることを特徴とする請求の範囲第１３項に記載のノズル。
【請求項１５】
更に、通気孔を介して空気を容器中に流入させるためのフレア付き変形性通気孔シール、及び発泡性流体及び蒸気空間を収容するための、フォーム発生ハウジングに連結する首部を有する容器を含み、前記シールはフォーム発生ハウジング内に配置されており、空気を流入させる開位置とフォームを排出させる閉位置の間で移動するように移動可能に係合していることを特徴とする請求の範囲第３項に記載のノズル。
【請求項１６】
フォーム導管ハウジングが、フォーム導管ハウジングが開位置と閉位置の間で移動するとき、フォーム発生ハウジングの外表面に係合するように設けられた封止突起及び少なくとも１つの戻り止を有することを特徴とする請求の範囲第１５項に記載のフォームディスペンサー。
【請求項１７】
通気孔シールが、比較的幅広の上端部；この幅広端部に連結した放射状に延びるフランジ；及びシールアパーチュアを規定する比較的に狭い下端部を有し、前記フランジはフォーム発生ハウジングの下表面と密封的に係合しており、シール下端部はシールに円筒状外壁により規定される約３５〜約５５°の角度でフォーム発生ハウジングの外壁に密封的に係合しており、容器中の負圧によりシールは外壁から遠ざけられ、よって容器中に空気が流入することを特徴とする請求の範囲第１５項に記載のフォームディスペンサー。
【請求項１８】
容器がフォーム発生ハウジングに螺合していることを特徴とする請求の範囲第１５項に記載のフォームディスペンサー。
【請求項１９】
フォームが容器中の圧力を上昇させることにより分配されることを特徴とする請求の範囲第１５項に記載のフォームディスペンサー。
【請求項２０】
容器が可撓性ポリマー材料から構成され、フォームは容器を変形させることにより容器中の圧力を上昇させることにより分配されることを特徴とする請求の範囲第１５項に記載のフォームディスペンサー。
【発明の詳細な説明】
【技術分野】
【０００１】
本発明のフォーム生成デバイスに関する。
【背景技術】
【０００２】
或る公知のタイプのフォーム生成デバイスは、いずれもＢｅｎｎｅｔｔに付与された米国特許第４，１４７，３０６号明細書及び同第４，１５６，５０５号明細書に開示されている。これらの特許では、発泡性流体及び空気を収容する変形可能なリザーバー；排出デバイス；及びフォームオーバーレイまたはフィルター及びボール逆止弁の両方を含むフォーム生成デバイスを有している。前記フォーム生成デバイスは、混合チャンバを形成する空気通路を備えたウェルを有している。リザーバーを絞ると、液体及び空気はチャンバー中で混合される。生じた混合物がオーバーレイを通過するとフォームが生成し、これはオリフィスを介して排出される。逆止弁は液体流路中に配置されており、スクィーズ作用により開き、圧力を開放したときに閉じる。閉じると、逆止弁は液体またはフォームの下向き流れを防止する。さもなければ、ディスペンサーは閉塞または目詰まりを起こすであろう。しかしながら、前記した装置は他の幾つかの欠点を有している。
【発明の開示】
【発明が解決しようとする課題】
【０００３】
例えば、従来技術のデバイスは、大量生産するためには高価な部品を複数含んでいる。更に、従来技術のデバイスの多くは、フォームを生成したときに容器から排出されてしまった空気を再補給するために長時間を要する。従って、本発明の１つの目的は、幾つかのアセンブリコストを削減し、複雑さを軽減するために数少ない部品で製造されるが、従来技術のデバイスと少なくとも同等に有効であるフォームノズル及びディスペンサーを提供することである。本発明の別の目的は、フォームの排出間に空気を迅速に再補給するフォームディスペンサーを提供することである。
【課題を解決するための手段】
【０００４】
本発明によれば、容器に空気を非常により有効な方法で再補給し得る弾性成形シールを用いることにより従来技術のフォームノズル及びディスペンサーの欠点が解消されることが判明した。より良い品質のフォームを生成するためにはスワールマニホールドを使用することが有利であり、好ましい実施態様では、前記マニホールドは本発明のフォーム発生ハウジング中に一体部品として成形される。本発明のフォームディスペンサーは数少ない部品を用い、より簡単に組み立てられ得、従って非常に低コストで製造、販売され得る。
【０００５】
本発明の１態様では、フォーム発生ハウジング；フォームを発生させるべく流体と蒸気を混合するための、前記フォーム発生ハウジング中に配置されてなる出口及び入口を有する混合導管；乱流ゾーンを形成するための、前記混合導管中に前記出口に隣接して配置されてなる複数の離間したメッシュスクリーン；及び流体及び蒸気の渦流パターンを形成するように流体と蒸気を接触させるための、前記の複数の離間したメッシュスクリーンの下流に配置されてなる前記入口と流体的に連通しているスワールマニホールドを含むフォームを分配するためのノズルが提供される。前記スワールマニホールドは表面を有し、混合導管入口及び流体導管出口と連通するアパーチュアを規定する。前記マニホールド表面はまた、アパーチュア及び蒸気導管出口と連通するスワール導管を少なくとも１つ有し、蒸気はスワール導管を介して流れ、アパーチュアに接線方向で入る。
【０００６】
好ましくは、本発明のノズルはそれぞれ出口及び入口を有する流体導管及び蒸気導管、並びに通気孔を有し、これらはいずれもフォーム発生ハウジング中に配置されている。複数のスクリーンが第１スクリーン及び該第１スクリーンの下流に配置されてなる第２スクリーンを含むことが好ましい。好ましくは、ノズルは混合導管中で生成したフォームを運ぶためのフォーム導管を有し、混合導管出口に連通しているフォーム導管ハウジング；及び該フォーム導管ハウジングに固定連結されてなるアダプターをも含む。好ましくは、アダプターは開位置と閉位置の間を移動するようにフォーム発生ハウジングの外表面に対して摺動可能に連結しており、前記した開位置では大気と容器中の流体及び蒸気との間は連通しており、前記した閉位置では大気と容器中の流体及び蒸気との間は連通していない。
【０００７】
好ましくは、本発明のノズルのフォーム導管ハウジングは、該フォーム導管ハウジングが開位置と閉位置の間を移動するときにフォーム発生ハウジングの外表面に係合するように配置されている封止突起及び少なくとも１つの戻り止を含む。好ましくは、本発明のノズルは更に、流体及びフォームが容器に逆流するのを防ぐために混合導管中に配置されてなる逆止弁を含む。
【０００８】
有利には、本発明のノズルはフォーム発生ハウジングと一体的に形成されたスワールマニホールドを有し、このマニホールドは中央アパーチュアを有し、マニホールド表面は前記アパーチュアと接線方向で連通している複数の食刻スワール導管を有し、各スワール導管は主軸を有している。好ましくは、スワールマニホールド表面に食刻されるスワール導管の数は好ましくは２〜約５０である。より好ましくは、スワール導管の数は少なくとも２であり、少なくとも１つのスワール導管の主軸は第２スワール導管の主軸に対して直角に配置されている。
【０００９】
本発明の別の態様では、通気孔を有するフォーム発生ハウジング；フォームを発生させるべく流体及び蒸気を混合するための、前記フォーム発生ハウジング中に配置されてなる出口及び入口を有する混合導管；乱流ゾーンを形成するための、混合導管中に前記出口に隣接して配置されてなる複数の離間したメッシュスクリーン；及び通気孔を介して容器中に空気を流入させるためのフレーア付き変形性通気孔シールを含むノズルが提供される。前記シールはフォーム発生ハウジング内に配置されており、空気を流入させる開位置とフォームを排出する閉位置の間で移動するように移動可能に係合している。本発明では、変形性通気孔シールのフレアー性は、９０°近い角度で円筒状外壁と接する平らなシールとは対照的に７５°未満の角度で円筒状外壁と接するシールにより規定される。
【００１０】
好ましくは、本発明のノズルの通気孔シールは幅広の上端部、この幅広端部に連結している放射状に延びるフランジ、及びシールアパーチュアを規定する狭い底端部を有する。前記フランジはフォーム発生ハウジングの下表面に密封的に係合しており、シール底端部はフォーム発生ハウジングの円筒状外壁に密封的に係合している。
【００１１】
好ましくは、通気孔シールは、シール及び円筒状外壁により規定される約３５〜約５５°の角度で円筒状外壁に係合しており、これにより容器中の負圧によりシールは外壁から遠ざけられ、よって空気は容器中に流入する。より好ましくは、通気孔シールは円錐形である。
【００１２】
有利には、本発明のノズルは、混合導管の外側に同心円状に配置され、通気孔シールに係合するように設けられ且つ開位置と閉位置の間で移動するように構成された、蟹のはさみ（ｃｒａｂ−ｃｌａｗ）に似た環状の弾性的に変形可能なリングである。開位置では第１の弾性的に変形可能なシールの少なくとも一部に係合し、閉位置では通気孔シールをフォーム発生ハウジングの下表面に対して押圧する。より好ましくは、環状の弾性的に変形可能なシールは、製造コストを軽減させるためにフォーム発生ハウジング内に下表面に隣接して一体的に注形される。
【００１３】
本発明の別の態様で、本発明のノズルはフォームディスペンサーを提供するために容器と組み合わされる。容器は首部を介してフォーム発生ハウジングに連結される。容器は通常ノズルに係合させるためにネジ、ダボ等を有する。ノズルは容器に係合させるために外表面上に成形した相補的なネジ、ダボ等を有し、フォーム発生ハウジングが容器に密封的に係合するときには環状の弾性的に変形可能なシールは閉位置に移動する。好ましくは、容器をフォーム発生ハウジングに螺合させる。
【００１４】
本発明のこの態様では、容器中の圧力を適当な手段により上昇させることによりフォームは分配される。好ましくは、容器は可撓性ポリマー材料から構成され、例えば手で絞ったり、ベロー、ポンプデバイスまたは加圧ガス源等を用いることにより容器中の圧力を上昇させることによりフォームが分配される。トリガースプレー中に通常設けられているトリガーポンプのような外部ポンピングデバイスを使用しないことが好ましい。こうした外部ポンピングデバイスは容器中の圧力を上昇させない。前記トリガースプレーの例は、２０００年９月１２日にＷａｎｂａｕｇｈらに付与された米国特許第６，１１６，４７２号明細書に記載されている。
【００１５】
操作に際し、フォーム発生ハウジングを流体の容器の開放首部に固定し、流体導管入口を容器中に流体レベルの下の位置まで延ばし、蒸気導管入口を容器の蒸気空間に延ばす。ノズルが開位置にあり、容器を絞ったり加圧したときには通気孔シールは閉じ、通気孔を封止する。蒸気または空気は蒸気導管を介して上向きに流れ、流体は流体導管を介して上向きに流れる。流体及び空気は混合導管に配置されたスワールマニホールドにおいて混合され、空気を同伴させた流体の渦巻きが生ずる。流体／空気混合物は逆止弁及び複数のスクリーンを通過し、フォームに変換される。フォームはノズルのフォーム導管セクションを介して流れ、排出される。
【００１６】
圧力を放出すると、通気孔シールは開き、空気は通気孔及び通気孔シールを介して容器に流入し、フォームを生成するために使用された空気と置換される。圧力が平衡化すると、ノズルは閉位置に戻り得る。たとえディスペンサーが傾いたり逆さにされても、ディスペンサーは封止され、流体の漏出は起こり得ない。
【００１７】
本発明の上記特徴、作用効果及び目的を図面を参照しながら詳細に説明する。これらの説明は単に例示にすぎない。
【００１８】
図１〜図９を参照すると、プラスチック製スクィーズ容器１０は発泡性流体１１及び空気空間１３を収容している。容器１０の開放ねじ付き首部１４に対してプラスチック製フォーム発生ハウジング１２が螺着されている。流体導管１６はハウジング１２から容器に流体レベルの下まで下向きに延びている。逆止弁１８、逆止弁ボール２０、第１スクリーン２２及び第２スクリーン２４がハウジング１２内に設置されている。フォーム導管ハウジングまたはプラスチック製キャップノズル２６がハウジング１２に対して摺動可能に接続されている。
【００１９】
ハウジング１２には、開放下端３０及び閉鎖上端３２を有する第１の垂直中空シリンダ２８が設けられている。円筒２８は雌ねじ２９を有し、容器１０の開放首部１４に係合するように構成されている。円筒２８の上端は中央に配置された混合導管３４を有し、通気孔３６が混合導管３４の外側に該導管３４から離間して設置されている。
【００２０】
混合導管３４は円筒２８の上端を越えて延びている。混合導管３４は上部セクション３８を有し、この上部セクション３８は第１円筒２８の閉鎖上端３２で下部セクション４０と連通している。上部セクション３８は第１スクリーン２２及び第２スクリーン２４を有し、下部セクション４０はポイントストップ４２と弁座４４の間に摺動可能に配置されている逆止弁ボール２０を有する逆止弁１８を受容するように構成されている。ボール２０は通常弁座４４に係合している。ボール２０がポイントストップ４２に係合しているときにはフォーム及び空気は逆止弁１８を介して流れ得る。ボール２０が弁座４４に係合しているときにはフォーム及び空気は逆止弁を介して流れ得ない。
【００２１】
アパーチュア４６が下部セクション４０の下流に、下部セクション４０と連通して配置されている。アパーチュア４６の下流には、蒸気導管５４が下部セクション壁５０から離間して流体導管１６を受容するように構成されており、流体導管１６は下部セクション壁５０上に成形されているスペーサー５２と圧力係合している。蒸気導管５４は流体導管１６及び下部セクション壁５０の周りに環状に配置されており、その入口５６で容器１０中の空気空間１３と連通している。
【００２２】
スワールマニホールド５８が下部セクション４０中に配置されている。スワールマニホールド５８は中央に配置されたアパーチュア４６、及び線５−５及び５Ａ−５Ａと平行にマニホールド表面６２に食刻されている複数の食刻マニホールドスワールチャネル６０を有しており、各導管６０は主軸６１に沿って延びている。蒸気導管５４はマニホールドスワールチャネル６０を介してアパーチュア４６と連通している。
【００２３】
第２中空円筒６４は開放上端６６を有し、その下端６８で第１円筒２８の上端３２に固定されている。第２円筒６４は混合導管３４の上部セクション３８の外側に同心円状に配置されており、環状溝７０により上部セクション３４から離間している。通気孔３６が環状溝７０と連通して配置されている。
【００２４】
図６Ａ及び６Ｂを参照すると、キャップノズル２６は水平排出導管セクション７４、垂直中空円筒セクション７６及びアダプター８６を有する。水平セクション７４は外部排出オリフィス７８及び内部吸気端８０を有する。垂直セクション７６は吸気端８０に連結している上端を有し、下部開口８２を有する。アダプター８６は開位置（図３）と閉位置（図２）の間を移動するように混合導管３４の上部外面８８に摺動可能に連結されている。アダプター８６は、開位置では上部外面８８上の戻り止９０に係合し、閉位置では下部外面８８上の戻り止９２に係合する封止リング８９を有する。アダプター８６は、フォームノズルが閉位置にあるときにハウジング１２の下端３０にも係合する締付リング９１をも有する。
【００２５】
混合導管３４の上部セクション３８は閉位置で垂直円筒セクション７６に延びている。閉位置すなわち下方位置では、垂直セクション壁７７は環状領域７０に延び、プラグ８４を介して混合導管３４を閉鎖し、アダプター８６は通気孔３６を閉鎖する。開位置すなわち上方位置では、通気孔３６は周囲空気に接しており、この空気は第１円筒２８の内部に流入し得、混合導管３４は水平導管７４及び垂直セクション７６を介して周期空気に接しており、フォームが分配され得る。
【００２６】
図７、９Ａ及び９Ｂを参照すると、コーン形通気孔シール１００が第１円筒２８に配置されている。シール１００は第１円筒２８の閉鎖上端３２の下表面１０４に隣接しており、その狭い下端１０６は下部セクション４０の円筒状外壁１０８の外側にその外壁１０８に隣接して同心円状に配置されている。フランジ１０２は下表面１０４上に形成されている環状または蟹はさみ状弾性シール１００により係合されている。ハウジング１２が容器１０の首部１４にねじ止めされ、締付けられているときにはシール１１０はフランジ１０２を下表面１０４に対して押圧する。
【００２７】
使用に際し、第１円筒２８を容器１０の開放首部１４に固定し、流体導管１６を容器中に流体１１レベル以下の深さまで伸びる位置に配置し、蒸気導管５４を容器１０の空気空間１３まで延ばす。ノズル２６が上方位置にあり、容器１０を絞ると、第１環状シール１００は閉鎖される。空気は蒸気導管５４及び蒸気スワールチャネル６０を介して流れ、流体は流体導管１６を介して上向きに流れる。流体１１及び空気１３はスワールマニホールド５８のアパーチュア４６において混合され、渦巻き流体−空気混合物は第１スクリーン２２及び第２スクリーン２４を介して流れ、フォーム１２０に変換される。フォーム１２０はノズル２６の垂直セクション７６及び水平セクション７４を介して流れ、排出される。
【００２８】
同時に、第１環状弾性シール１００により、容器１０中の空気１３が通気孔３６から逃げることが防止される。なぜならば、容器１０を絞って生ずる空気圧のためにシール１００の狭い底端部１０６が外壁１０８に対して密封的に押圧されるからである。
【００２９】
所望量のフォーム１２０が排出され、容器１０のスクィーズ圧が開放されると、外部の空気が直ぐに容器１０に流れ、環状溝７０を介して容器１０内の圧力が平衡化し、通気孔シール１００とシール１００の底端１０６で外壁１０８の間を通過し、容器１０の空気空間１３に入る（図８参照）。
【００３０】
蒸気または空気は本発明のスワールマニホールドに吸引され、ここで流体と混合される。スワールマニホールド中で生じた渦巻きの圧力変動は空気の流体への溶解速度に影響を及ぼすと考えられ、フォームの量は少なくとも部分的にマニホールド中で生じた渦巻きの強さにより決定される。渦巻きの強さは容器を絞る圧力、メッシュスクリーンのデザイン及び位置、並びに分配しようとする流体の物理的特性に依存する。
【００３１】
流体／空気の比率もフォームの品質及び量を決定する。空気及び流体の接触時間も空気の溶解速度、よってフォームの量に影響を及ぼす。接触時間は混合導管の長さの寸法により調節され得る。好適な寸法の選択に影響を及ぼす因子は利用可能な吸引空気の量及び液体の物理的特性（例えば、表面張力及び粘度）である。使用し得る空気の量は容器中の空気の容量、フォーマー容器を絞り出す程度及び蒸気導管の寸法に依存する。これらの寸法は多くの場合実験的に決定される。本明細書に記載の好ましい実施態様における好適な寸法を有するフォーマーは、容量が約５０〜約２５０ｍｌの容器、全長が約２５〜約１５０ｍｍの混合導管を有することを知見した。混合導管の上部セクションは約２５〜約５０ｍｍの長さ及び約６．２〜約１３．０ｍｍの半径を有する。混合導管の下部セクションは約９．５〜約１３．０ｍｍの長さ及び約３．１〜約９．５ｍｍの半径を有する。流体導管の周りに同心円状に配置される環状蒸気導管は約３．０〜約７．４ｍｍの内径、約３．８〜約７．６ｍｍの外径及び約１０．０〜約１５．３ｍｍの長さを有する。円筒状流体導管は約２５〜約２５０ｍｍの長さ及び約４．０〜約９．５ｍｍの半径を有する。スワールマニホールド表面は約６．２〜約１３．０ｍｍの直径及び約１．６〜約６．２ｍｍのアパーチュア直径を有する。好ましくは、４つの長方形スワールチャネルがスワールマニホールドの表面に食刻されており、それぞれの隣接するチャネル長軸に対して直交している。各スワールチャネルは通常約３．１〜約６．２ｍｍの長さ、約０．３〜約０．８ｍｍの深さ及び約０．３〜約１．２ｍｍの幅を有する。
【００３２】
本発明のフォーマーは、皮膚に適用したときにしたたることがなく、皮膚に十分な時間くっつく許容できる品質を有するフォームを生成しながらも大気中への浮遊液滴の量を減らすメッシュスクリーンを複数有する。好ましくは、本発明のフォーマーは１対のメッシュスクリーンを有し、各スクリーンは約２〜約５個の開口／ｍｌの大きさを有し、スクリーンは第１スクリーンを通過したときにスプレー粒子の流れ方向が変わり、第２スクリーンを通過したときにスプレー粒子の流れ方向が更に変わるので１対の乱流ゾーンが確立されるように少なくとも１方向で約６〜約８ｍｍの距離離れている。
【００３３】
容器本体を容器を手で絞ることができ、直ぐ元の形に戻ることができる材料から製造することが好ましい。好適な材料の例には、ポリプロピレン、ポリエチレン、ポリエチレンテレフタレート、ポリ塩化ビニルやナイロンのような熱可塑性樹脂またはそのラミネート等が含まれる。透明または不透明材料が使用可能であるが、容器中の内容物レベルをチェックするために透明または半透明の着色または無色材料が好ましい。ノズルと容器はきっちりと係合しなければならないので、ノズルを構成する材料についてはポリプロピレンやポリエチレンのような熱可塑性樹脂が好ましく使用される。通気孔シールはエラストマー材料から製造することが好ましいが、ゴム、軟質プラスチックまたは他の弾性シール材料のような他の種類の弾性材料も使用し得る。材料が１００未満のＳｈｏｒｅまたはＤｕｒｏｍｅｔｅｒ  Ａスケール硬度を有することが好ましい。
【００３４】
本発明の特定実施態様について本発明を説明してきたが、本発明の多数の他の形態または改変が本発明の請求の範囲内で当業者には自明である。
【図面の簡単な説明】
【００３５】
【図１】本発明の好ましい実施態様の分解組立図である。
【図２】下方位置にノズルを有する組立て形態の図１の実施態様の断面図である。
【図３】図２に類似の図である。ただし、ノズルはスクィーズ圧力を加える前の上方位置で示されている。
【図４】図３に類似の図である。ただし、ノズルはスクィーズ圧力を加えた直後の上方位置で示されている。
【図５】図３の線５−５に沿ったスワールマニホールドの底面図である。
【図５Ａ】図４の線５Ａ−５Ａに沿ったスワールマニホールドの底面図である。
【図６Ａ】図６Ｂのフォーム導管ホルダー及びアダプターが図６Ａのフォーム発生ハウジング上に受容されていることを示す図２の詳細分解断面図である。
【図６Ｂ】図６Ｂのフォーム導管ホルダー及びアダプターが図６Ａのフォーム発生ハウジング上に受容されていることを示す図２の詳細分解断面図である。
【図７Ａ】図８、９Ａ及び９Ｂに示す通気孔シールのフランジを受容している環状弾性または蟹はさみ状のリングの好ましい実施態様の詳細部分縦断面図である。
【図７Ｂ】図８、９Ａ及び９Ｂに示す通気孔シールのフランジを受容している環状弾性または蟹はさみ状のリングの好ましい実施態様の詳細部分縦断面図である。
【図８】スクィーズ圧力を加えた直後に外部空気が容器に流入し得る通気孔シールの好ましい実施態様の作動部分断面図である。
【図９Ａ】図８に示す通気孔シールの縦断面図である。
【図９Ｂ】図８及び図９Ａに示す通気孔シールの平面図である。
【図１】
2004531430.tif 000003
【図２】
2004531430.tif 000004
【図３】
2004531430.tif 000005
【図４】
2004531430.tif 000006
【図５】
2004531430.tif 000007
【図５Ａ】
2004531430.tif 000008
【図６Ａ】
2004531430.tif 000009
【図６Ｂ】
2004531430.tif 000010
【図７Ａ】
2004531430.tif 000011
【図７Ｂ】
2004531430.tif 000012
【図８】
2004531430.tif 000013
【図９Ａ】
2004531430.tif 000014
【図９Ｂ】
2004531430.tif 000015
【国際公開パンフレット】
2004531430.tif 000016
2004531430.tif 000017
2004531430.tif 000018
2004531430.tif 000019
2004531430.tif 000020
2004531430.tif 000021
2004531430.tif 000022
2004531430.tif 000023
2004531430.tif 000024
2004531430.tif 000025
2004531430.tif 000026
2004531430.tif 000027
2004531430.tif 000028
2004531430.tif 000029
2004531430.tif 000030
2004531430.tif 000031
2004531430.tif 000032
2004531430.tif 000033
2004531430.tif 000034
2004531430.tif 000035
2004531430.tif 000036
2004531430.tif 000037
2004531430.tif 000038
2004531430.tif 000039
2004531430.tif 000040
【国際公開パンフレット（コレクトバージョン）】
2004531430.tif 000041
2004531430.tif 000042
【国際公開パンフレット（コレクトバージョン）】
2004531430.tif 000043
2004531430.tif 000044
【国際調査報告】
2004531430.tif 000045
2004531430.tif 000046
2004531430.tif 000047
2004531430.tif 000048
2004531430.tif 000049
2004531430.tif 000050